(57)【要約】【課題】低コスト、簡易な構造であるとともに、断熱スリーブなどが不要で摩擦トルクも低く維持でき、さらに、内輪に摺動部材が抱き付くことに起因する摩擦係数の上昇や摩耗の発生を防止し得る滑り軸受を提供する。【解決手段】滑り軸受１は、内輪２と、外輪３と、この内輪２と外輪３との間に介在する樹脂組成物の成形体からなる摺動部材４とを備えてなり、内輪２は、外周に曲面を、内周に支持軸と嵌合する軸受孔５をそれぞれ有し、摺動部材４は、１ヶ所の合い口部４ａを有する環状体であり、内周に内輪２の外周の曲面に対向接触して摺動する曲面を有し、外輪３は、内周側で摺動部材４を保持し、外輪３の内周面に設けた突起３ａが摺動部材４の合い口部４ａに嵌合する。【選択図】図１
2013029181.tif 000002
【特許請求の範囲】
【請求項１】
内輪と、外輪と、この内・外輪間に介在する樹脂組成物の成形体からなる摺動部材とを備えてなる滑り軸受であって、
前記内輪は、外周に曲面を、内周に支持軸と嵌合する軸受孔をそれぞれ有し、
前記摺動部材は、１ヶ所の合い口部を有する環状体であり、内周に前記内輪の外周の曲面に対向接触して摺動する曲面を有し、
前記外輪は、内周側で前記摺動部材を保持し、前記外輪の内周面に設けた突起が前記摺動部材の合い口部に嵌合することを特徴とする滑り軸受。
【請求項２】
前記合い口部は、前記環状体の両端部において、それぞれの端部断面の軸方向一方側に突合せ面を有し、少なくとも一方の端部断面の軸方向反対側に前記外輪の突起が嵌合する段部を有する形状であることを特徴とする請求項１記載の滑り軸受。
【請求項３】
前記段部からなる前記外輪の突起との嵌合部分の周方向幅が、前記外輪の突起の周方向幅よりも大きいことを特徴とする請求項２記載の滑り軸受。
【請求項４】
前記突合せ面間の隙間幅が、前記段部からなる前記外輪の突起との嵌合部分と、前記外輪の突起との嵌合隙間幅よりも小さいことを特徴とする請求項２または請求項３記載の滑り軸受。
【請求項５】
前記摺動部材を該滑り軸受に組み入れない状態における前記突合せ面間の隙間幅と、前記摺動部材を該滑り軸受に組み入れた状態における前記突合せ面間の隙間幅とが同じであることを特徴とする請求項２、請求項３または請求項４記載の滑り軸受。
【請求項６】
前記樹脂組成物のベース樹脂が、ポリフェニレンスルフィド樹脂、ポリエーテルエーテルケトン樹脂、ポリアミドイミド樹脂、およびポリイミド樹脂から選ばれる少なくとも１つの合成樹脂であることを特徴とする請求項１ないし請求項５のいずれか１項記載の滑り軸受。
【請求項７】
前記樹脂組成物が、固体潤滑剤および繊維状補強材から選ばれる少なくとも１つを含むことを特徴とする請求項１ないし請求項６のいずれか１項記載の滑り軸受。
【請求項８】
前記固体潤滑剤が、ポリテトラフルオロエチレン樹脂、黒鉛、および二硫化モリブデンから選ばれる少なくとも１つであり、前記繊維状補強材が、炭素繊維およびアラミド繊維から選ばれる少なくとも１つであることを特徴とする請求項７記載の滑り軸受。
【請求項９】
前記内輪が、金属製であることを特徴とする請求項１ないし請求項８のいずれか１項記載の滑り軸受。
【請求項１０】
前記内輪が、転がり玉軸受用の内輪であることを特徴とする請求項９記載の滑り軸受。
【請求項１１】
前記外輪が、樹脂製であることを特徴とする請求項１ないし請求項１０のいずれか１項記載の滑り軸受。
【請求項１２】
前記外輪が、軸受端面と円筒部とフランジとから構成され、該円筒部の内周側で前記摺動部材を保持することを特徴とする請求項１ないし請求項１１のいずれか１項記載の滑り軸受。
【請求項１３】
前記外輪が、軸方向の一端面に開口部を、該開口部の縁に爪部をそれぞれ有し、前記摺動部材は前記開口部から該外輪に組み込まれて前記爪部で固定されることを特徴とする請求項１ないし請求項１２のいずれか１項記載の滑り軸受。
【請求項１４】
前記内輪と前記外輪とが、非接触に保持されていることを特徴とする請求項１ないし請求項１３のいずれか１項記載の滑り軸受。
【請求項１５】
前記内輪の外周の曲面が凹曲面であり、前記摺動部材の曲面が凸曲面であることを特徴とする請求項１ないし請求項１４のいずれか１項記載の滑り軸受。
【請求項１６】
前記摺動部材の凸曲面は、軸方向中央部の全周に非曲面部が形成されていることを特徴とする請求項１５記載の滑り軸受。
【請求項１７】
前記摺動部材が、前記樹脂組成物の射出成形体であり、前記非曲面部に射出成形におけるパーティングラインが形成されていることを特徴とする請求項１６記載の滑り軸受。
【請求項１８】
前記内輪および前記摺動部材の摺動面に潤滑剤が塗布されていることを特徴とする請求項１ないし請求項１７のいずれか１項記載の滑り軸受。
【請求項１９】
前記潤滑剤が、フッ素グリースおよびウレアグリースから選ばれる少なくとも１つであることを特徴とする請求項１８記載の滑り軸受。
【請求項２０】
前記摺動部材の摺動面に、潤滑剤保持ポケットが形成されていることを特徴とする請求項１８または請求項１９記載の滑り軸受。
【発明の詳細な説明】
【技術分野】
【０００１】
本発明は滑り軸受に関し、特に、複写機、プリンタ、ファクシミリなどの画像形成装置における定着装置の定着ローラや加圧ローラなどの加熱されるローラ（ヒートローラ）の支持に用いる滑り軸受に関する。
【背景技術】
【０００２】
一般に、画像形成装置は、その定着装置において、光学装置で形成された静電潜像にトナーを付着させ、このトナー像をコピー用紙に転写し、さらに定着させるものである。この定着工程では、ヒータを内蔵した定着ローラと加圧ローラとの間にトナー像を通過させる。これにより、トナー像からなる転写像がコピー用紙上に加熱融着によって定着される。
【０００３】
定着ローラは、線状ないし棒状のヒータを軸心部に内蔵した軟質の金属製であり、両端に小径の軸部が突出した円筒状に形成されている。定着ローラは、アルミニウム、またはアルミニウム合金（Ａ５０５６、Ａ６０６３）などの熱伝導性に優れた金属材料からなる。定着ローラの表面は、旋削や研磨などで仕上げられる。また、定着ローラ表面には、フッ素樹脂などの非粘着性の高い樹脂がコーティングまたは被覆してある。定着ローラの表面の温度は、ヒータにより１８０〜２５０℃前後に加熱される。
【０００４】
加圧ローラは、シリコンゴムなどで被覆された鉄材または軟質材からなり、コピー用紙を定着ローラに押圧して回転駆動するものである。加圧ローラは、加熱ローラからの伝熱により、約７０〜１５０℃に加熱される。あるいは、定着ローラと同様に内部にヒータが設けられ１５０〜２５０℃前後に加熱される。以降、上記した定着ローラ、加圧ローラなどのように、内蔵されたヒータ、または、他部材からの伝熱により加熱されるローラを「ヒートローラ」と記す。
【０００５】
高温に加熱されるヒートローラは、両端の軸部で深溝玉軸受からなるボールベアリングを介してハウジングに回転自在に支持されており、このボールベアリングとヒートローラの軸部との間に、合成樹脂などからなる断熱スリーブが介在させてある。これは、ヒートローラの加熱時に両端部のボールベアリングから熱が逃げてヒートローラの軸方向に沿う温度分布が不均一になるのを防止するのとともに、軸受の高温劣化を防止するためである。
【０００６】
また、ヒートローラの支持軸受としては、樹脂製滑り軸受を用いるものがある。例えば、滑り軸受を、ポリフェニレンスルフィド（ＰＰＳ）、ポリアミド（ＰＡ）、ポリアミドイミド（ＰＡＩ）、ポリイミド（ＰＩ）、ポリエーテルエーテルケトン（ＰＥＥＫ）などの合成樹脂から形成しているものがある。具体例としては、耐熱性および機械的強度の優れたＰＰＳ樹脂などをリング状の軸受本体として、その摺動面にフッ素樹脂層を接着するか、または、フッ素樹脂を配合したＰＰＳ樹脂などで滑り軸受全体を一体成形する技術が知られている（特許文献１参照）。
【０００７】
樹脂製滑り軸受を使用する場合、樹脂製滑り軸受自体が断熱性を有するため、一般的には、該樹脂製滑り軸受とヒートローラの軸部との間に断熱スリーブを介在させない。通常、画像形成装置の定着装置において、中級機から高級機はヒートローラ軸受にボールベアリングが使用され、普及機は樹脂製滑り軸受が使用されている。
【先行技術文献】
【特許文献】
【０００８】
【特許文献１】特開平５−１１７６７８号公報
【発明の概要】
【発明が解決しようとする課題】
【０００９】
しかしながら、上記した画像形成装置における定着装置のヒートローラ用の軸受である深溝玉軸受は、構造が複雑で製造コストも高価である。また、温度分布の不均一化、軸受の高温劣化を防止するために、上述の樹脂製断熱スリーブが必要となり、さらに高価になる。また、ヒートローラの支持軸の取り付け精度誤差やモーメント荷重などに起因する支持軸の撓みにより、軸受が破損するおそれがある。
【００１０】
これに対して、ＰＰＳ樹脂などの樹脂製滑り軸受は、断熱スリーブを介在させることなく使用でき、構造が簡単で射出成形できることから、低コストで生産できるという利点を有する。しかし、この樹脂製滑り軸受は、深溝玉軸受と比べて、摩擦トルクが約２〜５倍程度も高い。特に、ヒートローラの軸受摺動面粗さが粗いと、さらに摩擦トルクが大きくなり、同時に摩耗も大きくなり仕様を満足できなくなるおそれがある。
【００１１】
また、摩擦トルクを小さくするため、軸受摺動面にグリースを塗布するとしても、荷重を強く受ける部分などではグリース不足となり、仕様を満足できなくなる場合がある。
【００１２】
また、内輪と、外輪と、この内・外輪間に介在する摺動部材とを備えてなる滑り軸受とする場合、内輪に摺動部材が抱き付き、摩擦係数が上昇するおそれがある。内輪に摺動部材が抱き付く原因は、装置の稼動により雰囲気温度が上昇し、それとともに滑り軸受が加熱され、その後装置の停止により滑り軸受が冷却されるという日常的使用において、熱膨張した後で収縮することにより摺動部材の合い口部が狭く変形することで発生するものである。内輪に摺動部材が抱き付くことで、摩擦係数が上昇する。また、グリースを摺動面から押し出し、それにより、さらに摩擦係数が上昇し、摩耗が発生するおそれがある。
【００１３】
本発明はこのような問題に対処するためになされたものであり、低コスト、簡易な構造であるとともに、断熱スリーブなどが不要で摩擦トルクも低く維持でき、さらに、内輪に摺動部材が抱き付くことに起因する摩擦係数の上昇や摩耗の発生を防止し得る滑り軸受の提供を目的とする。
【課題を解決するための手段】
【００１４】
本発明の滑り軸受は、内輪と、外輪と、この内・外輪間に介在する樹脂組成物の成形体からなる摺動部材とを備えてなる滑り軸受であって、上記内輪は、外周に曲面を、内周に支持軸と嵌合する軸受孔をそれぞれ有し、上記摺動部材は、１ヶ所の合い口部を有する環状体であり、内周に上記内輪の外周の曲面に対向接触して摺動する曲面を有し、上記外輪は、内周側で上記摺動部材を保持し、上記外輪の内周面に設けた突起が上記摺動部材の合い口部に嵌合することを特徴とする。
【００１５】
上記合い口部は、上記環状体の両端部において、それぞれの端部断面の軸方向一方側に突合せ面を有し、少なくとも一方の端部断面の軸方向反対側に上記外輪の突起が嵌合する段部を有する形状であることを特徴とする。
【００１６】
上記段部からなる上記外輪の突起との嵌合部分の周方向幅が、上記外輪の突起の周方向幅よりも大きいことを特徴とする。
【００１７】
上記突合せ面間の隙間幅が、上記段部からなる上記外輪の突起との嵌合部分と、上記外輪の突起との嵌合隙間幅よりも小さいことを特徴とする。
【００１８】
上記摺動部材を該滑り軸受に組み入れない状態における上記突合せ面間の隙間幅と、上記摺動部材を該滑り軸受に組み入れた状態における上記突合せ面間の隙間幅とが同じであることを特徴とする。
【００１９】
上記樹脂組成物のベース樹脂が、ポリフェニレンスルフィド（ＰＰＳ）樹脂、ポリエーテルエーテルケトン（ＰＥＥＫ）樹脂、ポリアミドイミド（ＰＡＩ）樹脂、およびポリイミド（ＰＩ）樹脂から選ばれる少なくとも１つの合成樹脂であることを特徴とする。
【００２０】
上記樹脂組成物が、固体潤滑剤および繊維状補強材から選ばれる少なくとも１つを含むことを特徴とする。また、上記固体潤滑剤が、ポリテトラフルオロエチレン（ＰＴＦＥ）樹脂、黒鉛、および二硫化モリブデンから選ばれる少なくとも１つであり、上記繊維状補強材が、炭素繊維およびアラミド繊維から選ばれる少なくとも１つであることを特徴とする。
【００２１】
上記内輪が、金属製であることを特徴とする。また、上記内輪が、転がり玉軸受用の内輪であることを特徴とする。
【００２２】
上記外輪が、樹脂製であることを特徴とする。また、上記外輪が、軸受端面と円筒部とフランジとから構成され、該円筒部の内周側で上記摺動部材を保持することを特徴とする。また、上記外輪が、軸方向の一端面に開口部を、該開口部の縁に爪部をそれぞれ有し、上記摺動部材は上記開口部から該外輪に組み込まれて上記爪部で固定されることを特徴とする。
【００２３】
上記内輪と上記外輪とが、非接触に保持されていることを特徴とする。
【００２４】
上記内輪の外周の曲面が凹曲面であり、上記摺動部材の曲面が凸曲面であることを特徴とする。また、上記摺動部材の凸曲面は、軸方向中央部の全周に非曲面部が形成されていることを特徴とする。また、上記摺動部材が、上記樹脂組成物の射出成形体であり、上記非曲面部に射出成形におけるパーティングラインが形成されていることを特徴とする。
【００２５】
上記内輪および上記摺動部材の摺動面に潤滑剤が塗布されていることを特徴とする。また、上記潤滑剤が、フッ素グリースおよびウレアグリースから選ばれる少なくとも１つであることを特徴とする。また、上記摺動部材の摺動面に、潤滑剤保持ポケットが形成されていることを特徴とする。
【発明の効果】
【００２６】
本発明の滑り軸受は、内輪と、外輪と、この内・外輪間に介在する樹脂組成物の成形体からなる摺動部材とを備えてなり、上記内輪は、外周に曲面を内周に支持軸と嵌合する軸受孔をそれぞれ有し、上記摺動部材は、１ヶ所の合い口部を有する環状体であり、内周に内輪外周の曲面に対向接触して摺動する曲面を有し、上記外輪は、内周側で摺動部材を保持し、該外輪の内周面に設けた突起が摺動部材の合い口部に嵌合するので、摺動部材の内輪への組付けが容易であり、また、摺動部材と外輪とが相対回転することが無く回転トルクが安定し、さらに、内輪に摺動部材が抱き付かず、回転トルクおよび摩擦係数の上昇や、摩耗の発生を防止できる。
【００２７】
また、ボールベアリング（転がり玉軸受）と比較して部品点数が少なく構造が簡単である。そのため、製造工程、組立時間が短縮でき、安価に提供できる。さらに、上記摺動部材が樹脂組成物の成形体であるので、ボールベアリングにはない自己断熱性効果を有し、別途、断熱スリーブなどが不要となる。また、内輪の外周曲面と、環状体である摺動部材の内周曲面とが対向接触して摺動する態様であるため、相手材である支持軸と摺動する樹脂製滑り軸受と異なり、摩擦トルクが支持軸の表面粗さや材質等に依存せず、このような態様の従来の樹脂製滑り軸受よりも摩擦トルクを低くできる 。これらの結果、摩擦トルクと製造コストの両面において、ボールベアリングと従来の樹脂製滑り軸受の中間特性を有する。
【００２８】
上記合い口部の環状体の両端部において、それぞれの端部断面の軸方向一方側に突合せ面を有し、少なくとも一方の端部断面の軸方向反対側に外輪の突起が嵌合する段部を有する形状にし、上記段部からなる外輪の突起との嵌合部分の周方向幅を、上記外輪の突起の周方向幅よりも大きくすることで、外輪に対して摺動部材の組み込み性が向上する。
【００２９】
上記突合せ面間の隙間幅を、上記段部からなる外輪の突起との嵌合部分と、外輪の突起との嵌合隙間幅よりも小さくすることで、加熱膨張によって展開長さが長くなる際に、合い口隙間が先に閉じるため、摺動部材の内輪への抱き付きを防止し得る。
【００３０】
上記摺動部材を該滑り軸受に組み入れない状態における上記突合せ面間の隙間幅と、上記摺動部材を該滑り軸受に組み入れた状態における上記突合せ面間の隙間幅とを同じにすることで、回転トルクに悪影響を与えない。
【００３１】
上記樹脂組成物のベース樹脂を、ＰＰＳ樹脂、ＰＥＥＫ樹脂、ＰＡＩ樹脂、およびＰＩ樹脂から選ばれる少なくとも１つの合成樹脂にすることで、耐熱性に優れ、２００℃程度まで使用可能になる。このため、ヒートローラの支持軸受として好適に利用できる。
【００３２】
上記樹脂組成物に固体潤滑剤を配合することで、摩擦トルクが低減される。また、上記樹脂組成物に繊維状補強材を配合することで、摺動部材を補強するとともに耐摩耗性が高くなり、さらに、高弾性化によって、より高温環境での使用が可能となる。
【００３３】
上記固体潤滑剤を、ＰＴＦＥ樹脂、黒鉛、および二硫化モリブデンから選ばれる少なくとも１つにすることで、潤滑特性に優れ、摩擦トルクがより安定する。また、上記繊維状補強材を、炭素繊維およびアラミド繊維から選ばれる少なくとも１つとすることで、摺動相手材となる内輪の摩耗が抑制できる。また、摺動部材の耐摩耗性および高温での弾性率の保持性をより高めることができる。
【００３４】
上記内輪を金属製にすることで、滑り軸受自体の機械的強度が高くなる。また、上記内輪として転がり玉軸受（ボールベアリング）用の内輪を利用することで、摺動部材との摺動面となる外周曲面が、該内輪の転走面であり、高精度であるため、回転性能の安定化に繋がる。
【００３５】
上記外輪を樹脂製にすることで、滑り軸受の軽量化が図れる。また、断熱性に優れる。また、上記外輪を軸受端面と円筒部とフランジとから構成することで、定着装置等の装置内での軸方向の位置決め部材にすることができる。
【００３６】
上記外輪の構造を、軸方向の一端面に開口部を、該開口部の縁に爪部をそれぞれ有し、上記摺動部材が上記開口部から該外輪に組み込まれて上記爪部で固定される構造にすることで、摺動部材を外輪にスナップフィットで容易に組み込んで製造できる。該構造により、摺動部材が外輪の内部に保持され、一体化される。このようなスナップフィット可能な構造とすることで、より製造工程、組立時間が短縮でき、安価に提供できる。
【００３７】
上記内輪と上記外輪とが、非接触に保持されている構成にすることで、内・外輪間の摩擦損失をなくすことができる。
【００３８】
上記内輪の外周の曲面を凹曲面とし、上記摺動部材の曲面を該凹曲面と対向接触して摺動する凸曲面とすることで、内輪と外輪の軸方向の位置ずれなどを防止できる。
【００３９】
上記摺動部材の凸曲面において、軸方向中央部の全周に非曲面部を形成することで、この部分に潤滑剤を保持することができる。また、上記摺動部材が上記樹脂組成物の射出成形体であり、上記非曲面部に射出成形におけるパーティングラインが形成されることで、摺動部材の射出成形が容易であり、パーティングラインの突状が内輪の摺接面と干渉しない。
【００４０】
上記内輪および摺動部材の摺動面に潤滑剤を塗布することで、摩擦トルクがさらに低減され、摺動部材の焼き付きを防止でき、性能寿命を大幅に長くすることができる。特に、上記潤滑剤をフッ素グリースおよびウレアグリースから選ばれる少なくとも１つとすることで、高温下においても安定した潤滑性能、低摩擦トルクを有する。また、上記摺動部材の摺動面に潤滑剤保持ポケットを形成することで、潤滑剤を摺動面に安定的に供給することができる。
【図面の簡単な説明】
【００４１】
【図１】本発明の滑り軸受の正面図および軸方向断面図である。
【図２】図２は図１の軸方向断面図における一部拡大図である。
【図３】滑り軸受の摺動部材のみの正面図および軸方向断面図である。
【図４】滑り軸受の摺動部材のみの斜視図である。
【図５】滑り軸受の外輪のみの正面図および軸方向断面図である。
【図６】滑り軸受の内輪のみの正面図および軸方向断面図である。
【図７】摺動部材と外輪との嵌合部分の隙間幅を示す図である。
【図８】他の態様の摺動部材の斜視図である。
【図９】溝状の潤滑剤保持ポケットが形成された摺動部材の内周面の一部拡大図である。
【図１０】試験用滑り軸受Ａの動摩擦係数の経時変化を示す図である。
【図１１】試験用滑り軸受Ｂの動摩擦係数の経時変化を示す図である。
【発明を実施するための形態】
【００４２】
本発明の滑り軸受の一実施例を図１および図２により説明する。図１は本発明の滑り軸受の正面図および軸方向断面図であり、図２は図１の軸方向断面図における一部拡大図である。図１および図２に示すように、滑り軸受１は、内輪２と、外輪３と、この内輪２と外輪３との間に介在する摺動部材４とを備えてなる。この滑り軸受１は、ラジアル軸受である。摺動部材４は、樹脂組成物の成形体であり、１ヶ所の合い口部４ａを有する環状体である。外輪３は、内周側で摺動部材４を覆うように保持している。外輪３の内周面に設けた突起３ａが、摺動部材の合い口部４ａに嵌合している。外輪３の突起３ａが、摺動部材４の合い口部４ａに嵌合することで、摺動部材４が該外輪３に対して周方向に回転不能に保持され、また、摺動部材４が内輪２に抱き付かない。
【００４３】
図２に示すように、内輪２は、外周に曲面２ａを、内周に支持軸と嵌合する軸受孔５をそれぞれ有している。摺動部材４は、その内周に、内輪２の外周の曲面２ａに対向接触して摺動する曲面４ｂを有する。外輪３は、軸受端面３ｂと円筒部３ｃとフランジ３ｄとから構成される。摺動部材４は、外輪３の一端面に設けられた開口部３ｅの縁に形成された複数の爪部３ｆが、摺動部材４の端面の凹部４ｃに引っ掛けられることで、外輪３に固定されている。
【００４４】
摺動部材の正面図および軸方向断面図を図３に、摺動部材の斜視図を図４にそれぞれ示す。図３に示すように、摺動部材４は、１ヶ所の合い口部４ａを有する環状体であり、内周に、内輪の外周の曲面に対向接触する曲面４ｂを有する。摺動部材４は、樹脂製（樹脂組成物に成形体）であるので、内輪を金属製とした場合、該内輪とは線膨張係数が異なる。この場合であっても、合い口部４ａを有するので、高温時の熱膨張を該合い口部４ａに逃すことができ、応力集中による摺動部材の破損を防止できる。また、摺動部材４を内輪に弾性変形により組み込む際に、合い口部４ａが広がるため、組み込み性に優れる。
【００４５】
図４に示すように、合い口部４ａは、環状体の両端部４ｄ、４ｅにおいて、それぞれの端部断面の軸方向一方側に突合せ面４ｆ、４ｇを有する。また、それぞれの端部断面の軸方向反対側に、外輪の突起が嵌合する段部４ｈ、４ｉを有する。段部４ｈおよび４ｉからなる嵌合（窪み）部分４ｊが、外輪の内周面の突起と嵌合する部分である。図示する例では、突合せ面、段部は、それぞれの端部断面を軸方向で略二等分するように形成されているが、必要に応じて、一方の軸方向幅を大きくする等してもよい。また、嵌合部分４ｊが、外輪の突起と嵌合できる形状であれば、段部４ｈ、４ｉのそれぞれの周方向長さは任意に設定でき、環状体の一方の端部にのみ段部を形成する態様でもよい。
【００４６】
また、摺動部材４において、内周の展開長さ中央に窪み４ｋを形成することが好ましい。この窪み４ｋを形成することで、内輪に組み込む際に、摺動部材４を容易に拡げることができる。
【００４７】
摺動部材４は、ヒートローラ等による加熱によって膨張する。また、外輪やハウジングによって径寸法が拘束されているので、上記膨張により、展開長さが長くなる。加熱膨張によって展開長さが長くなる際に、突合せ面４ｆ、４ｇ間の隙間（合い口隙間）が閉じるように、合い口隙間幅を狭く設定しておくことで、加熱によって合い口隙間が閉じると、摺動部材４には周方向に圧縮応力が発生し、クリープが生じる。このため、摺動部材４は、冷却されても内径寸法が変化せず、内輪に抱き付くことがない。この結果、回転トルクの変動が生じない。
【００４８】
また、摺動部材４は、図８に示すような合い口部４ａを有する環状体としてもよい。この形状の摺動部材４のみを用いる場合（合い口部４ａに突起等の嵌合させない態様）では、以下の懸念点を有する。通常、合い口隙間を広く設定しているため、加熱膨張によって展開長さが長くなっても合い口隙間が閉じることがない。そのため、摺動部材の周方向に圧縮応力は発生せず、クリープは生じない。また、ヒートローラの熱によって加熱されることで成形応力が緩和され、合い口隙間が縮まる方向に変形する。このため、冷却されると摺動部材の内径寸法は小さく変化し、内輪に抱き付くことになる。この結果、回転トルクが高くなる。
【００４９】
図８に示す摺動部材を使用した場合の抱き付き程度の差を下記の試験により確認した。外輪としてＰＰＳ樹脂組成物の成形体（ＰＰＳ樹脂６０＋ガラス繊維４０（ｗｔ％））、摺動部材としてＰＰＳ樹脂組成物の成形体（ＰＰＳ樹脂６０＋ＰＴＦＥ樹脂３５＋黒鉛５（ｗｔ％））、内輪として薄肉形深溝玉軸受＃６８０５用内輪（材質：ＳＵＪ２）をそれぞれ用いて、試験用滑り軸受を作成した。試験用滑り軸受Ａは、外輪の内周面に摺動部材の合い口部の幅と同じ幅の突起を有し突起と摺動部材の合い口部とが嵌合されたものであり、試験用滑り軸受Ｂは、外輪の内周面に突起を有さないものである。これらの試験用滑り軸受を用いて、温度：１８０度、荷重：１．８ＭＰａ、速度：１３．２ｍ／ｍｉｎ、運転時間：２０時間、潤滑剤：ＮＯＫクリューバーＢＦ４０２３の条件で運転試験を行ない、動摩擦係数の経時変化を記録した。結果を図１０（試験用滑り軸受Ａ）、図１１（試験用滑り軸受Ｂ）にそれぞれ示す。図１０、図１１において横軸は経過時間（ｈ）、縦軸は動摩擦係数である。
【００５０】
図１０に示すように、試験用滑り軸受Ａでは、動摩擦係数が低く一定に維持されている。これは、突合せ面間の隙間が外輪突起により拘束されて、摺動部材が内輪に抱き付かないためだと考えられる。一方、図１１に示すように、試験用滑り軸受Ｂでは、動摩擦係数が高く、変動も大きい結果となっている。これは、合い口隙間が拘束されずに変形により摺動部材が内輪に抱き付いたためだと考えられる。
【００５１】
本実施例では評価試験につき、摺動部材の合い口部を図８に示す形状で行なったが、この場合は、隙間管理がシビアになり、組立性が低下するおそれがあるので、量産する場合には、図３および図４に示す形状の摺動部材にすることが好ましい。
【００５２】
摺動部材４は、樹脂組成物の成形体である。該樹脂組成物のベース樹脂となる合成樹脂の種類は特に限定されないが、少なくとも該滑り軸受の使用条件（耐熱性、機械的強度など）に見合う特性を有する合成樹脂である必要がある。また、射出成形可能な合成樹脂であれば、製造が容易であり、寸法精度も均一にできるので好ましい。
【００５３】
摺動部材４を成形する樹脂組成物のベース樹脂となる合成樹脂としては、例えば、ポリアミド６（ＰＡ６）樹脂、ポリアミド６−６（ＰＡ６６）樹脂、ポリアミド６−１０（ＰＡ６１０）樹脂、ポリアミド６−１２（ＰＡ６１２）樹脂、ポリアミド４−６（ＰＡ４６）樹脂、ポリアミド９−Ｔ（ＰＡ９Ｔ）樹脂、ポリアミド６−Ｔ（ＰＡ６Ｔ）樹脂、ポリメタキシレンアジパミド（ポリアミドＭＸＤ−６）樹脂などのポリアミド（ＰＡ）樹脂、ポリテトラフルオロエチレン・パーフルオロアルキルビニルエーテル共重合体（ＰＦＡ）樹脂、テトラフルオロエチレン・ヘキサフルオロプロピレン共重合体（ＦＥＰ）樹脂、エチレン−テトラフルオロエチレン共重合体（ＥＴＦＥ）樹脂などの射出成形可能なフッ素樹脂、ポリアセタール（ＰＯＭ）樹脂、全芳香族ポリエステル樹脂、ＰＰＳ樹脂、ＰＥＥＫ樹脂、ＰＡＩ樹脂、射出成形可能なＰＩ樹脂などが挙げられる。なお、各ポリアミド樹脂において、数字はアミド結合間の炭素数を表し、Ｔはテレフタル酸残基を表す。これらの各合成樹脂は単独で使用してもよく、２種類以上混合したポリマーアロイであってもよい。
【００５４】
これらの合成樹脂の中で、耐熱性に優れ、２００℃程度まで使用可能になることから、ＰＰＳ樹脂、ＰＥＥＫ樹脂、ＰＡＩ樹脂、およびＰＩ樹脂から選ばれる少なくとも１つの合成樹脂を用いることが好ましい。これらの樹脂で摺動部材を成形し、内・外輪は金属製とすることで、画像形成装置の高温下で使用する定着ローラなどのヒートローラを支持する滑り軸受にも好適に使用できる。
【００５５】
摺動部材４を成形する樹脂組成物において、炭素繊維、アラミド繊維、ガラス繊維などの繊維状補強材を配合することができる。これらの繊維状補強材は、１種類を配合しても２種類以上を組み合わせて配合してもよい。樹脂組成物に、これらの繊維状補強材を含むことで、摺動部材が補強されるとともに耐摩耗性が高くなる。さらに、高弾性化によって、より高温環境での使用が可能となる。
【００５６】
上記繊維状補強材の中でも、炭素繊維およびアラミド繊維から選ばれる少なくとも１つを配合することが好ましい。これらを用いることで、摺動部材における上記補強効果を維持しながら、摺動相手材となる内輪の摩耗を抑制できる。また、摺動部材の耐摩耗性および高温での弾性率の保持性をより高めることができる。
【００５７】
摺動部材４を成形する樹脂組成物において、ＰＴＦＥ樹脂粉末、黒鉛、二硫化モリブデン、ポリイミド樹脂やフェノール樹脂や全芳香族ポリエステル樹脂などの熱硬化性樹脂粉末などの固体潤滑剤を配合することができる。これらの固体潤滑剤は、１種類を配合しても２種類以上を組み合わせて配合してもよい。固体潤滑剤を配合することで、摩擦トルクが低減される。
【００５８】
上記固体潤滑剤の中でも、ＰＴＦＥ樹脂粉末、黒鉛、および二硫化モリブデンから選ばれる少なくとも１つを配合することが好ましい。これらを用いることで、摺動部材の潤滑特性が優れ、摩擦トルクがより安定する。
【００５９】
外輪３のみの正面図および軸方向断面図を図５に示す。図５に示すように、外輪３は、軸受端面３ｂと円筒部３ｃとフランジ３ｄとから構成され、内周側で摺動部材を覆うように保持するものである。外輪３のフランジ３ｄは、一方の軸方向端部の外周全周に設けられている。フランジ３ｄを設けることで、外輪３の該軸方向端部の機械的強度に優れ、また、定着装置等の装置内での軸方向の位置決め部材にすることができる。また、外輪３は、軸方向の一端面に開口部３ｅを、該開口部３ｅの縁に爪部３ｆをそれぞれ有し、摺動部材は開口部３ｅから該外輪３に組み込まれて爪部３ｆで固定される。爪部３ｆを摺動部材の凹部に引っ掛けることによって、摺動部材と外輪３とが一体的に保持され、両部材の軸方向の位置ずれを防止できる。
【００６０】
外輪３の開口部３ｅの縁に形成された爪部３ｆの形状は、軸受使用時において、摺動部材が外れないように固定して保持できる形状であれば任意の形状にすることができる。図２および図５では、爪部３ｆと凹部４ｃは、周方向に均等に３箇所としているが、外輪３と摺動部材４を保持できる態様であれば、任意の形成位置および個数にすることができる。安定して摺動部材を保持するため、爪部３ｆおよび凹部４ｃは、好ましくは２箇所以上、より好ましくは３〜６箇所とする。なお、爪部３ｆを複数形成する場合では、その形成位置は、周方向で等間隔にすることが好ましい。
【００６１】
外輪３の構造を、上記のような爪部等を設けたスナップフィット可能な構造とすることで、製造が容易となり、より製造工程、組立時間が短縮でき、安価に提供できる。また、外輪３は、摺動部材を保持できる構造であれば、上記爪部を用いる構造以外の構造であってもよい。
【００６２】
外輪３の内周面には摺動部材４の合い口部４ａの嵌合部分４ｊ（図４参照）と嵌合する突起３ａが形成されている。突起３ａは、摺動部材の嵌合部分４ｊと嵌合する部分であるため、該嵌合部分４ｊとの関係で形状および形成位置が決定する。
【００６３】
外輪３は、摺動部材４を保持するための構造に作製できるものであれば、その材質は特に限定されず、樹脂製や金属製にすることができる。爪部等を弾性変形させてスナップフィット可能とする複雑構造を製造しやすいことから、樹脂製とすることが好ましい。外輪３を形成する樹脂組成物のベース樹脂となる合成樹脂としては、上記摺動部材と同様にものを使用でき、その中でも、耐熱性に優れ、２００℃程度まで使用可能になることから、ＰＰＳ樹脂、ＰＥＥＫ樹脂、ＰＡＩ樹脂、およびＰＩ樹脂から選ばれる少なくとも１つの合成樹脂を用いることが好ましい。
【００６４】
外輪３を形成する樹脂組成物において、炭素繊維、アラミド繊維、ガラス繊維などの繊維状補強材を配合することができる。これらの繊維状補強材は、１種類を配合しても２種類以上を組み合わせて配合してもよい。樹脂組成物に、これらの繊維状補強材を含むことで、外輪が補強され、高弾性化によって、より高温環境での使用が可能となる。その他、外輪３を形成する樹脂組成物において、必要に応じて上述の固体潤滑剤等の他の添加剤を配合してもよい。
【００６５】
外輪３を形成する樹脂組成物について、そのベース樹脂および補強材等を、摺動部材を形成する樹脂組成物と同種とすることで、外輪３と摺動部材との線膨張係数を略同一とでき、破損やずれなどを防止できる。
【００６６】
外輪３を金属製とする場合、金属材料としては、例えば、冷間圧延鋼（ＳＰＣＣ）、肌焼き鋼（ＳＣＭ）、熱間圧延鋼（ＳＰＨＣ）、炭素鋼（Ｓ２５Ｃ〜Ｓ５５Ｃ）、ステンレス鋼（ＳＵＳ３０４〜ＳＵＳ３１６）、軟鋼（ＳＳ４００）などの鉄系金属材料、銅−亜鉛合金、銅−アルミニウム−鉄合金などの銅系金属材料、アルミ−シリコン合金などのアルミニウム系金属材料が挙げられる。
【００６７】
内輪２のみの正面図および軸方向断面図を図６に示す。図６に示すように、内輪２は、外周の曲面２ａの軸方向断面が凹状のＲ形状である。この曲面２ａが摺動部材との摺動面となる。このような形状とすることで、内輪２として、既存の深溝玉軸受などの転がり玉軸受（ボールベアリング）用の内輪を転用することができる。この場合、摺動部材との摺動面となる外周曲面２ａが、該転がり玉軸受の内輪転走面であり、高精度であるため、回転性能の安定化に繋がる。また、別途、本発明の滑り軸受用に内輪を製造する必要がなく、製造コストの削減が図れる。
【００６８】
内輪２は、その材質は特に限定されず、金属製や樹脂製にすることができる。金属材料としては、通常の転がり軸受の内輪の金属材料（例えば、軸受鋼等）や、上述の外輪に用いるものが挙げられる。樹脂材料としては、上述の摺動部材に用いるものが挙げられる。滑り軸受自体の機械的強度の向上が図れることから、内輪２を金属製とすることが好ましい。
【００６９】
また、内輪２は、焼結金属製とすることもできる。焼結金属製とすることで、内輪２および摺動部材の摺動面に塗布する潤滑剤の保有効果が高くなる。さらに、該焼結金属に潤滑油を含浸した含油焼結金属とすることがより好ましい。含浸された潤滑油と、摺動面に塗布される潤滑剤とにより、長期間にわたり潤滑効果が維持できるなど、相乗効果が期待できる。焼結金属の種類は特に限定されず、例えば、Ｆｅ系、あるいはＣｕ系、Ｆｅ−Ｃｕ系、Ｃｕ−Ｓｎ系やＣｕ−Ｆｅ−Ｓｎ系の合金が使用できる。また、これらにカーボン、黒鉛、二硫化モリブデンなどを添加したものも使用できる。これらの焼結金属の中でも、放熱性に優れ、また圧縮成形による製造が容易であり、寸法変化も小さく低コストで生産できることから、ＣｕおよびＦｅから選ばれた少なくとも一つを主成分とする焼結金属が好ましい。
【００７０】
図１および図２に基づいて、滑り軸受の組み立て順を説明する。まず、内輪２に摺動部材４を弾性変形により嵌め込み、内輪２の外周の曲面２ａと摺動部材４の曲面４ｂとを合せる。次いで、摺動部材４の合い口部４ａの嵌合部分４ｊに、外輪３の内周面に設けた突起３ａを嵌合するように組み込み、滑り軸受を一体としている。なお、摺動面にグリース等の潤滑剤を塗布する場合は、摺動部材を内輪に組み込む前に、予め塗布しておくことが好ましい。
【００７１】
図７に基づいて、上記嵌合部分の隙間幅について説明する。図７は、外輪の突起３ａと、摺動部材４の合い口部との嵌合部分の拡大図である。段部４ｈおよび４ｉからなる嵌合部分４ｊの周方向幅Ｗ２は、外輪の突起３ａの周方向幅Ｗ３よりも大きいことが好ましい。すなわち、Ｗ２＝Ｗ３とはしない。これにより、外輪に対する摺動部材の組み込み性が向上する。一方、突起３ａの周方向幅Ｗ３に対して嵌合部分４ｊの周方向幅Ｗ２が大きすぎると、がたつきが大きくなるため、嵌合部分４ｊの周方向幅Ｗ２は、突起３ａの周方向幅Ｗ３よりも僅かに大きくすることが好ましい。具体的には、０．３〜０．６ｍｍ程度大きくすることが好ましい。
【００７２】
また、突合せ面４ｆ、４ｇ間の隙間幅（合い口隙間幅）Ｗ１が、嵌合部分４ｊと突起３ａとの嵌合隙間幅（Ｗ４＋Ｗ５）よりも小さいことが好ましい。これにより、加熱膨張によって展開長さが長くなる際に、合い口隙間が先に閉じるので、該隙間を狭く設定しておくことで摺動部材の内輪への抱き付きを防止し得る。なお、この合い口隙間は、他部材と嵌合等する部分ではないため、寸法管理は容易であり、狭く設定することも容易である。また、合い口隙間が先に閉じて抱き付きを防止するので、嵌合部分４ｊと突起３ａとの嵌合隙間幅（Ｗ４＋Ｗ５）については、シビアな隙間管理が不要になる。この構成において、上記したように、嵌合部分４ｊの周方向幅Ｗ２を、突起３ａの周方向幅Ｗ３よりも大きくすることで、シビアな隙間管理を必要とせずに、外輪に対する摺動部材の組み込み性を確保しながら回転トルクの変動が防止できる。
【００７３】
また、摺動部材４を該滑り軸受に組み入れない状態における突合せ面４ｆ、４ｇ間の隙間幅Ｗ１と、摺動部材を該滑り軸受に組み入れた状態における上記突合せ面間の隙間幅Ｗ１とを同じにすることが好ましい。これにより、摺動部材４と内輪との嵌め合い隙間が均一となり、回転トルクが大きくなること、変動すること等を防止できる。
【００７４】
図２に基づき、内輪２と摺動部材４との摺動面について詳細に説明する。滑り軸受１において、摺動部材４の曲面４ｂと内輪２の外周の曲面２ａとが摺動面であり、摺動部材４は外輪３に回転不能に保持されているので、摺動部材４および外輪３が内輪２に対して相対的に共回りする。
【００７５】
内輪２と摺動部材４とが接触し、内輪２と外輪３とは隙間３ｇを設けて非接触とすることが好ましい（図２参照）。このような構成とすることで、内・外輪間の摩擦損失をなくすことができる。
【００７６】
図２に示す例では、内輪２の外周の曲面２ａが、その軸方向断面が凹状のＲ形状である凹曲面であり、摺動部材４の曲面４ｂが、その軸方向断面が内輪２の外周の曲面２ａに対応する凸状のＲ形状である凸曲面である。このような相補的な形状とすることで、外輪および摺動部材と、内輪との軸方向の位置ずれなどを防止できる。また、摺動部材４の曲面４ｂを上記のような凸曲面とすることで、上述のように、内輪側に既存の転がり玉軸受用の内輪を利用できる。
【００７７】
図２に示す例では、摺動部材４の曲面４ｂ（凸曲面）は、軸方向中央部の全周に非曲面部４ｍが形成されている。非曲面部４ｍは、軸方向断面が直線のフラット形状である。非曲面部４ｍを形成することで、該非曲面部４ｍと内輪２の外周の曲面２ａとの間に空間部分が確保される。この部分が潤滑剤保持ポケット６となり、該部分に潤滑剤を保持することができる。摺動部材４の曲面４ｂの軸方向断面が円弧状である場合は、非曲面部４ｍは、軸方向断面における円弧頂点からの距離が、該円弧半径の２〜１５％の長さとすることが好ましい。この範囲とすることで、必要十分な潤滑剤量を保持しながら、摺動部材４の曲面４ｂと内輪２の外周の曲面２ａとが安定して摺接できる。なお、図２に示す例では、非曲面部４ｍの軸方向断面における円弧頂点からの距離を、摺動部材４の曲面４ｂの円弧半径の１５％としている。
【００７８】
また、摺動部材４が射出成形体である場合、非曲面部４ｍに型割り面（パーティングライン（ＰＬ））を設定することで、ＰＬの突状が内輪２の摺接面である曲面２ａと干渉しない。そのため、少なくとも内周側のＰＬ痕の研磨などの後処理を省略することができ、製造が容易となる。
【００７９】
内輪２および摺動部材４の摺動面には、潤滑油やグリースなどの潤滑剤を塗布することが好ましい。本発明の滑り軸受は、上述の樹脂製の摺動部材を内・外輪間に介在させる構成であるので低摩擦特性を有するが、摺動面に潤滑剤を塗布することで、摩擦トルクがさらに低減できる。この結果、摺動部材の焼き付きを防止でき、性能寿命を大幅に長くすることができる。潤滑剤を塗布する場合、摺動部材４の摺動面に、上述したような潤滑剤保持ポケット６を形成することが好ましい。潤滑剤保持ポケット６を形成することで、潤滑剤が該潤滑剤保持ポケット６に保持され、長期にわたり摺動面に潤滑剤を安定して供給することができる。
【００８０】
潤滑剤保持ポケット６の形状は、図２に示すような非曲面部４ｍのほか、ディンプル状、溝状のようなものであってもよい。図９に溝状の潤滑剤保持ポケットの例を示す。図９は、溝状の潤滑剤保持ポケットが形成された摺動部材の内周面の一部拡大図である。図９に示す潤滑剤保持ポケット６は、摺動部材４の内周の曲面４ｂの全周に設けられたハ字型を示す２列の矩形の複数の溝６ａから構成され、ハ字の下側が摺動部材４の回転方向に向くように形成されている。摺動部材４の回転時において、摺動部材４と内輪との間に封入されている潤滑剤は、各溝６ａ内においてハ字の下側から上側に向かって掻き寄せられて移動する。各溝６ａにおけるハ字の上側は、摺動部材４の曲面４ａの幅方向中央部に位置しているため、上記移動により潤滑剤は該中央部に移動することになる。なお、摺動部材４の回転時とは、摺動部材４が内輪に対して相対的に回転するときであり、摺動部材４が固定で内輪が回転する場合も含む。
【００８１】
また、各溝６ａは、回転方向側の矩形辺６ｂから、その対向辺６ｃに向かって溝が深くなる傾斜溝とすることが好ましい。回転方向側からその反対側に向かって溝を深くする形状とすることで、摺動部材４の回転時において、該傾斜がない場合よりも潤滑剤を掻き寄せやすくなる。
【００８２】
以上のような潤滑剤保持ポケット６を摺動部材４の摺動面に形成することで、滑り軸受が荷重を最も受ける滑り軸受幅方向の中央部において、潤滑剤による膜が容易に継続的に形成され、滑らかで、かつ低摩擦トルクの回転が得られる。なお、潤滑剤保持ポケット６として、図２に示す非曲面部４ｍと、図９に示す複数の溝６ａとを組み合わせて形成するなど、複数の構成の組み合わせとしてもよい。
【００８３】
本発明の滑り軸受において、内輪２および摺動部材４の摺動面に塗布する潤滑剤であるグリースは、通常、滑り軸受に用いられるグリースであれば特に制限なく用いることができる。グリースを構成する基油としては、例えば、パラフィン系鉱油、ナフテン系鉱油などの鉱油、ポリブテン油、ポリ−α−オレフィン油、アルキルベンゼン油、アルキルナフタレン油、脂環式化合物などの炭化水素系合成油、または、天然油脂やポリオールエステル油、りん酸エステル油、ジエステル油、ポリグリコール油、シリコーン油、ポリフェニルエーテル油、アルキルジフェニルエーテル油、フッ素化油などの非炭化水素系合成油などが挙げられる。これらの基油は、単独または２種類以上組み合せて用いてもよい。
【００８４】
また、グリースを構成する増ちょう剤としては、例えば、アルミニウム石けん、リチウム石けん、ナトリウム石けん、複合リチウム石けん、複合カルシウム石けん、複合アルミニウム石けんなどの金属石けん系増ちょう剤、ジウレア化合物、ポリウレア化合物などのウレア系化合物、ＰＴＦＥ樹脂などのフッ素樹脂粉末が挙げられる。これらの増ちょう剤は、単独または２種類以上組み合せて用いてもよい。
【００８５】
本発明の滑り軸受は、画像形成装置の高温下で作動する定着ローラなどの支持に使用するため、グリースにも耐熱性が必要となることから、上記の中でも、フッ素化油を基油としフッ素樹脂粉末を増ちょう剤とするフッ素グリース、または、ウレア系化合物を増ちょう剤とするウレアグリースを用いることが好ましい。また、これらを混合したグリースを用いることもできる。なお、上記各グリースには必要に応じて公知の添加剤を含有させることができる。
【産業上の利用可能性】
【００８６】
本発明の滑り軸受は、内輪に摺動部材が抱き付くことに起因する摩擦係数の上昇や摩耗の発生を防止でき、摩擦トルクが低く自己断熱性効果を有しながら、ボールベアリングと比較して部品点数が少なく構造が簡単であり、摩擦トルクと製造コストの両面において、ボールベアリングと従来の樹脂製滑り軸受の中間特性を有するので、複写機、プリンタ、ファクシミリなどの画像形成装置における定着装置の加熱ローラや加圧ローラなどのヒートローラを支持する滑り軸受として好適に利用できる。
【符号の説明】
【００８７】
１    滑り軸受
２    内輪
２ａ  内輪の曲面
３    外輪
３ａ  突起
３ｂ  軸受端面
３ｃ  円筒部
３ｄ  フランジ
３ｅ  開口部
３ｆ  爪部
３ｇ  隙間
４    摺動部材
４ａ  合い口部
４ｂ  摺動部材の曲面
４ｃ  凹部
４ｄ  環状体の端部
４ｅ  環状体の端部
４ｆ  突合せ面（４ｄ側）
４ｇ  突合せ面（４ｅ側）
４ｈ  段部（４ｄ側）
４ｉ  段部（４ｅ側）
４ｊ  嵌合部分
４ｋ  窪み
４ｍ  非曲面部
５    軸受孔
６    潤滑剤保持ポケット
６ａ  溝
６ｂ  矩形辺
６ｃ  対向辺
【図１】
2013029181.tif 000003
【図２】
2013029181.tif 000004
【図３】
2013029181.tif 000005
【図４】
2013029181.tif 000006
【図５】
2013029181.tif 000007
【図６】
2013029181.tif 000008
【図７】
2013029181.tif 000009
【図８】
2013029181.tif 000010
【図９】
2013029181.tif 000011
【図１０】
2013029181.tif 000012
【図１１】
2013029181.tif 000013